(57)【特許請求の範囲】
【請求項１】
生地（Ｆ）とボタン（１１；２１）の貫通穴（１２；２２）との間に位置する糸束（Ｙ１；Ｙ２）にかぶせるチューブ状又はリング状のキャップ（１０；２０；３０）からなり、
前記チューブ状又はリング状のキャップ（１０；２０；３０）は切り欠き（１３；２３；３１）を有し、
前記切り欠き（１３；２３；３１）に糸束は通過できるが、逆行はできない手段を設けたことを特徴とするボタンの緩み・脱落防止具。
ることを特徴とするボタンの緩み・脱落防止具。
【請求項２】
糸束は通過できるが、逆行はできない前記手段が、切り欠きのＶ字型横断面である請求項１記載のボタンの緩み・脱落防止具。
【請求項３】
糸束は通過できるが、逆行はできない前記手段が、切り欠き部に設けた係合部（３２）である請求項１記載のボタンの緩み・脱落防止具。
【請求項４】
前記チューブ状又はリング状のキャップの円周に沿って溝（１４；３７）が形成されている請求項１ないし３のいずれかに記載のボタンの緩み・脱落防止具。
【発明の詳細な説明】
【０００１】
【発明の属する技術分野】
本発明はボタンの緩みや脱落を防止するための器具に関する。ボタンは、衣服用、かばん用、靴用、その他、糸付けされているものであればどのようなものであってもよい。
【０００２】
【従来の技術】
周知のように、ボタンは、生地とボタンの貫通穴との間を糸で何度も往復させて緊縛することにより、固定されている。
【０００３】
【発明が解決しようとする課題】
頻繁なボタンの掛け外しや長年月の使用により、ボタンの取付けがゆるくなったり、糸がすり切れたりして、それを放置するとやがて抜け落ちてしまうのは誰でも経験していることである。
【０００４】
糸のほつれを防ぐため、例えば特開平８−３３７９３９号では、アセテート糸およびナイロン糸またはポリエステル糸からなる合撚糸のボタン付用ミシン糸を使用する。このミシン糸によりボタンを衣服の布地に付けた後、溶剤滴下装置によって根巻き部分または衣服生地とボタンとの間のミシン糸にアセトンを滴らして、ミシン糸中のアセテートを溶かす。すると、アセテート糸の一部分が溶けてナイロン糸またはポリエステル糸に付着し、アセテートが溶解状態のまま固化し、合撚糸を構成する糸が互いに固着し、糸端がほつれないようになる、と書かれている。
【０００５】
この方法は高度引火性の溶剤アセトンを使用するなど、明らかに工場段階での加工に限定される。一般の消費者が衣服等を購入後に家庭内で実施できるものではない。
【０００６】
本発明は、生地から抜け落ちにくいようにボタンを取り付ける器具を提供することを目的とする。本発明は、一般の消費者が衣服購入後に家庭内で実施できるような安全なものであることを目指しているが、工場段階で製品にあらかじめ取り付けることを排除するものではなく、むしろ通常の使い方はそうあるべきである。
【０００７】
【課題を解決するための手段】
本発明のボタンの緩み・脱落防止具は、生地とボタンの貫通穴との間に位置する糸束にかぶせるチューブ状又はリング状のキャップからななり、前記チューブ状又はリング状のキャップは切り欠きを有し、前記切り欠きに糸束は通過できるが、逆行はできない手段を設けたことを特徴とする。
【０００８】
【発明の実施の態様】
生地は、織物地、編物地、革地、合成樹脂シートなどボタンを取り付けるものであればどのようなものでもよい。
【０００９】
ボタンは、糸を取り付けるための貫通穴を有するものであれば、どのようなものでもよい。貫通穴は、ボタン表面に露出しているもの（図１（ａ）参照）だけでなく、表面には露出せず、裏側の突起部分に設けたもの（図２（ａ）参照）でもよい。
【００１０】
糸は、生地とボタンの糸貫通穴との間を何度も往復させて糸束とし、生地に固定するのが普通である。生地とボタンの糸貫通穴の間で１−５ｍｍ程度の長さの糸束が形成される。
【００１１】
キャップは、生地とボタン貫通穴の間の糸束に取り付けられる。キャップは、合成樹脂で製造するのが便利であるが、金属やセラミック製でもよい。キャップは、取付け状態ではほぼチューブ状又はリング状である。生地とボタン貫通穴の間の糸束が短いときにはリング状となり、長いときにはチューブ状となる。「チューブ」とはいっても長さは普通の衣服の場合、せいぜい３−５ｍｍ程度であり、やや厚めのリングと言い換えてもよい。
【００１２】
糸束に側面から被せられるように、チューブ又はリングには切り欠きを設けておくことが好ましい。この切り欠きを糸束に押しつけて糸束に被せた後では簡単に抜け落ちないようにする必要がある。そのため、切り欠きには、糸束は通過できるが、逆行はできないような手段を設けておくことが好ましい。
【００１３】
そのような手段としては、例えば、切り欠きの横断面をＶ字型とすることがあげられる。Ｖ字の開放側からは糸束を挿入するのが容易であるが、いったん挿入された後では、開口部が狭まっているので、糸束が脱出することは困難である。
【００１４】
また別の実施態様では、そのような手段は切り欠き部に設けた係合部とすることができる。係合部としては、例えば、互いに係合可能な雌雄部材（一方の爪部と他方の受容部）とすることができる。
【００１５】
本発明のキャップは指先でつまむ程度の小さなものなので、ピンセットのような器具を使用してもよい。そのためには、ピンセットの脚で挟みやすいように、溝を付けておくことが好ましい。
【００１６】
【実施例】
以下、添付の図面に基づき、本発明の実施例を説明する。
【００１７】
実施例１
図１は、本発明第１実施例であり、チューブ状のキャップ１０の例である。
【００１８】
図１（ａ）に示すように、糸Ｙは、生地Ｆとボタン１１の貫通穴１２との間を何度も往復させて糸束Ｙ１とし、生地Ｆに固定されている。図面では作図の都合上糸の本数を少なくしている。生地Ｆとボタン１１の貫通穴１２の間で４ｍｍ程度の長さの糸束Ｙ１が形成されている。この糸束にチューブ状のキャップ１０が被せられている。
【００１９】
図１（ｂ）に示すように、このキャップには横断面がＶ字型の切り欠き１３が設けられている。Ｖ字の開放側からは糸束Ｙ１を挿入するのが容易であるが、いったん挿入された後では、開口部が狭まっているので、糸束が脱出することは困難である。
【００２０】
このキャップ１０をピンセットで取り付けるときのために、円周方向の側部に溝１４が形成されている。
【００２１】
実施例２
図２は、本発明第２実施例であり、リング状のキャップ２０の例である。
【００２２】
図１（ａ）に示すように、糸Ｙは、生地Ｆとボタン２１の貫通穴２２との間を何度も往復させて糸束Ｙ２とし、生地Ｆに固定されている。図面では作図の都合上糸の本数を少なくしている。生地Ｆとボタン２１の貫通穴の間で２ｍｍ程度の長さの糸束Ｙ２が形成されている。この糸束にリング状のキャップ２０が被せられている。
【００２３】
図２（ｂ）に示すように、このキャップ２０には横断面がＶ字型の切り欠き２３が設けられている。Ｖ字の開放側からは糸束を挿入するのが容易であるが、いったん挿入された後では、開口部が狭まっているので、糸束が脱出することは困難である。
【００２４】
実施例３
図３は、本発明第３実施例であり、チューブ状キャップ３０の別の実施例である。
【００２５】
このキャップには切り欠き３１が設けられており、切り欠きに接するキャップの両端には係合部３２が設けられている。係合部３２は、２対の互いに係合可能な雌雄部材（一方の爪部３３、３５と他方の受容部３４、３６）である。係合をはずした状態で糸束を挿入し、その後係合するので、いったん挿入された後では、糸束は脱出できない。
【００２６】
このキャップをピンセットで取り付けるときのために、側部に溝３７が形成されている。
【００２７】
【発明の効果】
本発明は、生地とボタンの貫通穴との間に位置する糸束にかぶせるチューブ状又はリング状のキャップからなるので、これを糸束に被せておけば、頻繁なボタンの掛け外しや長年月の使用によっても糸がすり切れることが少ない。
【００２８】
本発明のキャップは、工場段階で製品にあらかじめ取り付けることができるだけでなく、一般の消費者が衣服購入後に家庭内で簡単に取り付けることができる。そのために、特別な設備や取付け用器具を必要としない。上記実施例ではピンセットを使用したが、なくても指先だけで十分に取付け可能である。
【００２９】
さらに、本発明のキャップをボタンに取り付けると、ボタンがキャップにより支持されてしっかりと直立するので、見た目にすっきりすると共に、新品らしい印象が長続きするという効果もある。
【図面の簡単な説明】
【図１】  本発明第１実施例である。（ａ）は取付状態の斜視図、（ｂ）はキャップの斜視図である。
【図２】  本発明第２実施例である。（ａ）は取付状態の斜視図、（ｂ）はキャップの斜視図である。
【図３】  本発明第３実施例である。（ａ）は開放状態の斜視図、（ｂ）は閉鎖状態の斜視図である。
【符号の説明】
１０     キャップ
１１     ボタン
１２     糸貫通穴
１３     切り欠き
１４     溝
２０     キャップ
２１     ボタン
２２     糸貫通穴
２３     切り欠き
３０     キャップ
３１     切り欠き
３２     係合部
３３     爪部
３４     受容部
３７     溝
Ｆ       生地
Ｙ       糸
Ｙ１     糸束
Ｙ２     糸束
【図１】
0004036659.tif 000002
【図２】
0004036659.tif 000003
【図３】
0004036659.tif 000004